(57)【要約】【課題】使用者の意に反して、調理物が過剰に加熱されることを防止したコンロを提供する。【解決手段】バーナ４ａ，４ｂを収容したコンロ本体１の上面を覆うガラス天板２に、使用者がバーナ４ａ，４ｂの作動を指示するために設けられて、ガラス天板２の上面への接触物又は接近物を検知するタッチスイッチを有する操作部６と、タッチスイッチがｏｎ状態（検知状態）であるかｏｆｆ状態（非検知状態）であるかを把握し、把握結果に応じてバーナ４ａ，４ｂの作動を制御する加熱制御手段とを備えたコンロにおいて、該加熱制御手段は、バーナ４ａが燃焼状態であるときに、操作部６のバーナ４ａ用の火力ＵＰスイッチがｏｆｆ状態からｏｎ状態に切り換わったときにはバーナ４ａの火力を１段階増加させ、その後火力ＵＰスイッチがｏｎ状態に維持されたときにバーナ４ａの火力を１段階減少させる。【選択図】  図１
2005291511.tif 000002
【特許請求の範囲】
【請求項１】
加熱手段を収容するコンロ本体の上面を覆う天板に、使用者が該加熱手段の作動を指示するために設けられて、該天板の上面への接触物又は接近物を検知するタッチスイッチと、
前記加熱手段の加熱量を予め設定された複数段階で変更する加熱量変更手段と、
前記加熱手段が作動中であるときに、前記タッチスイッチのうち前記加熱手段の加熱量の増加を指示する加熱量ＵＰスイッチが非検知状態から検知状態に切り換わったときには、前記加熱量変更手段により前記加熱手段の加熱量を１段階増加させる加熱制御手段とを備えたコンロであって、
前記加熱制御手段は、前記加熱手段が作動状態であるときに、前記加熱量ＵＰスイッチが非検知状態から検知状態に切り換わった後、該検知状態が維持されたときは、前記加熱手段の加熱量を前記加熱量変更手段により１段階減少させることを特徴とするコンロ。
【請求項２】
前記加熱手段が作動状態であるときに、前記加熱手段の加熱量が前記複数段階のいずれであるかを表示する加熱量表示手段を備えたことを特徴とする請求項１記載のコンロ。
【発明の詳細な説明】
【技術分野】
【０００１】
本発明は、加熱手段を備えたコンロに関し、特に天板の上面に加熱手段の作動を指示するための操作部を備えたコンロに関する。
【背景技術】
【０００２】
従来より、図６に示したように、システムキッチンのカウンタトップに用意された開口にコンロ本体１０１を埋設するドロップイン式のコンロにおいて、ガスバーナ１００ａ，１００ｂが収容されるコンロ本体１０１の上面を覆うガラス天板１０２に、ガスバーナ１００ａ，１００ｂの点火／消火と火力調節を行うための操作つまみ１０３ａ，１０３ｂを設けたものが知られている（例えば特許文献１参照）。
【０００３】
かかるコンロによれば、前面に操作部を備えたコンロを設置する場合のように、カウンタトップの前面に操作部を臨ませる開口を設ける必要がなく、カウンタトップへのコンロの設置も容易に行うことができる。また、ガスバーナの点火／消火や火力調節を天板１０２に設けられて視認性が良い操作つまみ１０３ａ，１０３ｂにより行うことができるため、使用者の操作性が向上する。
【特許文献１】実開昭５８−１８６３０２号公報
【発明の開示】
【発明が解決しようとする課題】
【０００４】
しかし、図６に示したコンロによれば、操作つまみ１０３ａ，１０３ｂがガラス天板１０２の上面に突出して配置されているため、調理を行う際に邪魔になる場合がある。そこで、ガスバーナ１００ａ，１００ｂの操作手段として、例えば、静電容量式のセンサの検出部をガラス天板１０２の裏面に設けてガラス天板１０２の表面に操作部を備えたタッチスイッチを構成し、ガラス天板１０２の上面をフラットにすることが考えられる。
【０００５】
そして、ガスバーナ１００ａ，１００ｂの火力を複数段階で増減させるために、各バーナに対して、火力の増加を指示する火力ＵＰスイッチと火力の減少を指示する火力ＤＯＷＮスイッチとを設けることで、使用者はＵＰスイッチとＤＯＷＮスイッチに触れて各バーナの火力を容易に変更することができる。
【０００６】
しかし、火力ＵＰスイッチをタッチスイッチとしてガラス天板１０２に設けた場合、加熱調理中に、五徳１０４ａ，１０４ｂに載置した鍋等からの調理物の煮こぼれやガラス天板１０２への落下物等により火力ＵＰスイッチが覆われて、火力ＵＰスイッチがｏｆｆ状態からｏｎ状態に切り換わることが生じ得る。
【０００７】
そして、例えば右バーナ１００ｂを用いて加熱調理を行っているときに、上述したような使用者の操作以外の要因により右バーナ１００ｂの火力ＵＰスイッチがｏｆｆ状態からｏｎ状態に切り換わったときにも、右バーナ１００ｂの火力を増加させる処理が行われる。そして、この場合には、使用者の意に反して右バーナ１００ｂの火力が増加し、調理物が過剰に加熱される状態となって調理に失敗してしまうという不都合がある。
【０００８】
そこで、本発明はかかる不都合を解消し、使用者の意に反して調理物が過剰に加熱されることを防止したコンロを提供することを目的とする。
【課題を解決するための手段】
【０００９】
本発明は上記目的を達成するためになされたものであり、加熱手段を収容するコンロ本体の上面を覆う天板に、使用者が該加熱手段の作動を指示するために設けられて、該天板の上面への接触物又は接近物を検知するタッチスイッチと、前記加熱手段の加熱量を予め設定された複数段階で変更する加熱量変更手段と、前記加熱手段が作動中であるときに、前記タッチスイッチのうち前記加熱手段の加熱量の増加を指示する加熱量ＵＰスイッチが非検知状態から検知状態に切り換わったときには、前記加熱量変更手段により前記加熱手段の加熱量を１段階増加させる加熱制御手段とを備えたコンロに関する。
【００１０】
そして、前記加熱制御手段は、前記加熱手段が作動状態であるときに、前記加熱量ＵＰスイッチが非検知状態から検知状態に切り換わった後、該検知状態が維持されたときは、前記加熱手段の加熱量を前記加熱量変更手段により１段階減少させることを特徴とする。
【００１１】
かかる本発明によれば、前記加熱制御手段は、前記加熱量ＵＰスイッチが非検知状態から検知状態に切り換わったときに前記加熱手段の加熱量を１段階増加させるが、その後前記加熱量ＵＰスイッチが検知状態に維持されたときには、前記加熱手段の加熱量を１段階減少させる。
【００１２】
そのため、調理物の煮こぼれ等により前記加熱量ＵＰスイッチが非検知状態から検知状態に切り換わり、その後前記加熱量ＵＰスイッチが検知状態に維持される状態となっても、前記加熱手段の加熱量は前記加熱量ＵＰスイッチが非検知状態であったときの加熱量に戻り、前記加熱手段の加熱量が増加した状態が継続されることがない。そして、これにより、調理物が使用者の意に反して過剰に加熱されることを防止することができる。
【００１３】
また、前記加熱手段が作動状態であるときに、前記加熱手段の加熱量が前記複数段階のいずれであるかを表示する加熱量表示手段を備えたことを特徴とする。
【００１４】
かかる本発明において、使用者が前記加熱量ＵＰスイッチを操作し続けて前記加熱量ＵＰスイッチが検知状態に維持されると、一旦増加した前記加熱手段の加熱量が前記加熱制御手段による処理により１段階減少して操作前の状態に戻る。この場合、使用者は、前記加熱手段を増加させるつもりで前記加熱量ＵＰスイッチを操作したにも拘らず、一旦増加した前記加熱手段の加熱量が元に戻ってしまうため、違和感を抱くおそれがある。そこで、前記加熱量表示手段によって加熱手段の加熱量を表示させ、加熱量ＵＰスイッチを連続操作すると加熱手段の加熱量が元に戻り変化しないことを視覚的に使用者に認識させることで、使用者が上述した違和感を抱くことを抑制することができる。
【発明を実施するための最良の形態】
【００１５】
本発明の実施の形態について、図１〜図５を参照して説明する。図１は本発明のコンロの外観図、図２は図１に示した操作部の詳細図、図３はコンロの制御ブロック図、図４〜５はバーナの火力変更処理のフローチャートである。
【００１６】
図１は、コンロ本体１の上面に、耐熱性に優れた結晶化ガラスで形成されたガラス天板２を装着したドロップイン式のコンロを示している。ガラス天板２には、左右一対のコンロ開口３ａ，３ｂが開設されている。そして、コンロ本体１内に、各コンロ開口３ａ，３ｂに臨ませて、左バーナ４ａ及び右バーナ４ｂ（本発明の加熱手段に相当する）が設けられている。また、コンロ開口３ａ，３ｂには、調理容器を載置する五徳５ａ，５ｂが配置され、ガラス天板２の上面の手前側に、左バーナ４ａ及び右バーナ４ｂの作動を指示するための操作部６が設けられている。
【００１７】
図２を参照して、操作部６には、コンロに電源が投入された状態で、左バーナ４ａ及び右バーナ４ｂの作動指示が可能な「運転状態」と該作動指示が不能な「待機状態」とに切り換える運転スイッチ１０が備えられている。また、左バーナ４ａの作動を指示するために、左バーナ４ａを点火準備状態とする点火準備スイッチ１１ａ、左バーナ４ａの火力を５段階（レベル１〜レベル５）に切り換える火力ＤＯＷＮスイッチ１２ａ（本発明の加熱量ＤＯＷＮスイッチに相当する）と火力ＵＰスイッチ１３ａ（本発明の加熱量ＵＰスイッチに相当する）、左バーナ４ａが点火準備状態にあるときと左バーナ４ａの作動中に点灯する点火準備表示部１４ａ、及び左バーナ４ａの火力設定を表示する火力レベル表示部１５ａ（本発明の加熱量表示手段に相当する）が設けられている。
【００１８】
なお、左バーナ４ａが点火準備状態にあるときに、火力ＵＰスイッチ１３ａが操作されたときには、左バーナ４ａの点火処理が実行される。また、左バーナ４ａの燃焼中に点火準備スイッチ１１ａ又は運転スイッチ１０が操作されたときは、左バーナ４ａの消火処理が実行される。
【００１９】
同様に、右バーナ４ｂの作動を指示するために、右バーナ４ｂを点火準備状態とする点火準備スイッチ１１ｂ、右バーナ４ｂの火力を５段階（レベル１〜レベル５）に切り換える火力ＤＯＷＮスイッチ１２ｂ（本発明の加熱量ＤＯＷＮスイッチに相当する）と火力ＵＰスイッチ１３ｂ（本発明の加熱量ＵＰスイッチに相当する）、右バーナ４ｂが点火準備状態にあるときと右バーナ４ｂの作動中に点灯する点火準備表示部１４ｂ、及び右バーナ４ｂの火力設定を表示する火力レベル表示部１５ｂ（本発明の加熱量表示手段に相当する）が設けられている。
【００２０】
なお、右バーナ４ｂが点火準備状態にあるときに、火力ＵＰスイッチ１３ｂが操作されたときには、右バーナ４ｂの点火処理が実行される。また、右バーナ４ｂの燃焼中に点火準備スイッチ１１ｂは運転スイッチ１０が操作されたときは、右バーナ４ｂの消火処理が実行される。
【００２１】
さらに、操作部６には、「運転状態」にあるときに点灯するアンロック表示部１６と、運転スイッチ１０が所定時間（例えば４秒）以上連続して操作されて、全てのスイッチの操作が不能ないわゆるチャイルドロック状態となったときに点灯するロック表示部１７とが備えられている。
【００２２】
ここで、操作部６の各スイッチは、ガラス天板２の裏面に設けられた静電容量センサと、該静電容量センサと対向したガラス天板２の表面部分にプリントされて各スイッチのタッチポイントを示すプリント部分とにより構成された無接点型のタッチスイッチである。そして、該プリント部分（静電容量センサに対向したガラス天板２の表面部分）に静電体が置かれているときは、静電容量センサにより該静電体が検出されてタッチスイッチはｏｎ状態（本発明の検知状態に相当する）となる。一方、該プリント部分に静電体が置かれていないときには、静電容量センサにより該静電体が検出されず、タッチスイッチはｏｆｆ状態（本発明の非検知状態に相当する）となる。
【００２３】
また、操作部６の各表示部は、ガラス天板２の裏面に設けられたＬＥＤと、該ＬＥＤと対向したガラス天板２の表面部分にプリントされたプリント部分とにより構成される。そして、ＬＥＤをｏｎしたときに表示部が点灯状態になり、ＬＥＤをｏｆｆしたときに表示部は消灯状態となる。
【００２４】
また、火力レベル表示部１５ａは、左バーナ４ａの火力レベル（レベル１〜レベル５）を、図示した５個の点灯部分からなるバー表示の左側からの点灯部分の点灯個数で表示する。例えば、左バーナ４ａの火力レベルが１であるときはバー表示の左端の点灯部分のみを点灯し、左バーナ４ａの火力レベルが５であるときはバー表示の５個の点灯部分が全て点灯する。同様に、火力レベル表示部１５ｂは、右バーナ４ｂの火力レベル（レベル１〜レベル５）を、図示した５個の点灯部分からなるバー表示の左側からの点灯部分の点灯個数で表示する。
【００２５】
次に、図３を参照して、コンロ本体１内には、コンロの全体的な作動を制御するコントローラ３０が備えられ、操作部６の各スイッチ（運転スイッチ１０、点火準備スイッチ１１ａ，１１ｂ、火力ＤＯＷＮスイッチ１２ａ，１２ｂ、火力ＵＰスイッチ１３ａ，１３ｂ）の操作状態（ｏｎ／ｏｆｆ）の検知信号がコントローラ３０に入力される。
【００２６】
また、コントローラ３０から出力される制御信号によって、コンロ本体１への燃料ガスの供給と遮断とを切り換えるガス元弁４０、左バーナ４ａへの燃料ガスの供給と遮断とを切り換える左バーナ用開閉弁４１ａ、左バーナ４ａへの燃料ガスの供給流量を変更する左バーナ用火力調節弁４２ａ（本発明の加熱量変更手段に相当する）、左バーナ４ａの点火電極（図示しない）に高電圧を印加して火花放電を生じさせる左バーナ用イグナイタ４３ａ、右バーナ４ｂへの燃料ガスの供給と遮断とを切り換える右バーナ用開閉弁４１ｂ、右バーナ４ｂへの燃料ガスの供給流量を変更する右バーナ用火力調節弁４２ｂ（本発明の加熱量変更手段に相当する）、右バーナ４ｂの点火電極（図示しない）に高電圧を印加して火花放電を生じさせる右バーナ用イグナイタ４３ｂの作動が制御される。
【００２７】
さらに、コントローラ３０から出力される制御信号によって、操作部６に備えられた各表示部（点火準備表示部１４ａ，１４ｂ、火力レベル表示部１５ａ，１５ｂ、アンロック表示部１６、ロック表示部１７）の点灯／消灯と、ブザー１８のｏｎ／ｏｆｆが制御される。
【００２８】
また、コントローラ３０には、左バーナ４ａと右バーナ４ｂの作動を制御する加熱制御手段３１と、操作部６に備えられた各表示部の点灯／消灯の制御とブザー１８による報知を行う点灯制御手段３２とが備えられている。
【００２９】
ここで、左バーナ４ａが燃焼中であるときに使用者が左バーナ用の火力ＵＰスイッチ１３ａに触れて、火力ＵＰスイッチ１３ａがｏｆｆ状態からｏｎ状態に切り換わったときには、加熱制御手段３１は左バーナ４ａの火力を増加させる処理を行う。同様に、右バーナ４ｂが燃焼中であるときに使用者が右バーナ用の火力ＵＰスイッチ１３ｂに触れて、火力ＵＰスイッチ１３ｂがｏｆｆ状態からｏｎ状態に切り換わったときには、加熱制御手段３１は右バーナ４ｂの火力を増加させる処理を行う。
【００３０】
しかし、上述したように、操作部６に設けられた各タッチスイッチは、ガラス天板２の上面に所在する静電体の有無を検知するものである。そのため、使用者が指でタッチスイッチに触れた場合の他に、図１（ｂ）に示したように、左バーナ４ａを使用して鍋２０内の調理物を加熱していたときに、調理物の吹きこぼれ２１が生じ、該ふきこぼれ２１が操作部６に達していずれかのタッチスイッチがｏｆｆ状態からｏｎ状態に切り換わることが生じ得る。
【００３１】
或いは、ガラス天板２上の落下物（布巾、食材等）により操作部６が覆われてタッチスイッチがｏｆｆ状態からｏｎ状態に切り換わる場合や、昆虫等が操作部６上に移動してタッチスイッチがｏｆｆ状態からｏｎ状態に切り換わる場合もあり得る。
【００３２】
そして、このように、使用者の操作以外の要因により、左バーナ４ａの燃焼中に左バーナ４ａ用の火力ＵＰスイッチ１３ａがｏｆｆ状態からｏｎ状態に切り換わったときに、左バーナ４ａの火力を増加させて調理物の加熱を継続すると、使用者の意に反して調理物が過剰に加熱され、調理に失敗してしまう。右バーナ４ｂの燃焼中に、使用者の操作以外の要因により、右バーナ４ｂ用の火力スイッチ１３ｂがｏｆｆ状態からｏｎ状態に切り換わったときも同様である。
【００３３】
そこで、コントローラ３０に備えられた加熱制御手段３１は、このように、左バーナ４ａの燃焼中に、使用者の操作以外の要因により左バーナ用の火力ＵＰスイッチ１３ａがｏｆｆ状態からｏｎ状態に切り換わったときには、左バーナ４ａの燃焼量が増加した状態が継続されることを防止するための処理を行う。また、同様に、加熱制御手段３１は、右バーナ４ｂの燃焼中に、右バーナ用の火力ＵＰスイッチ１３ｂがｏｆｆ状態からｏｎ状態切り換わったときには、右バーナ４ｂの燃焼量が増加した状態が継続されることを防止するための処理を行う。
【００３４】
以下、図４〜図５のフローチャートに従って、かかる処理を含む加熱制御手段３１によるバーナの火力の増減処理について説明する。なお、図４〜図５のフローチャートは左バーナ４ａに対する処理であるが、右バーナ４ｂに対する処理も同様である。
【００３５】
加熱制御手段３１は、左バーナ４ａが燃焼中であるときに図４のＳＴＥＰ１〜図５のＳＴＥＰ４のループを繰り返し実行する。そして、ＳＴＥＰ１で点火準備スイッチ１１ａがｏｎ状態となったときはＳＴＥＰ１０に分岐し、加熱制御手段３１は左バーナ用開閉弁４１ａを閉弁して左バーナ４ａを消火する。
【００３６】
また、ＳＴＥＰ１１〜ＳＴＥＰ１２は点灯制御手段３２による処理であり、点灯制御手段３２は、ＳＴＥＰ１１で点火準備表示部１４ａを消灯し、ＳＴＥＰ１２で火力レベル表示部１５ａを消灯し、ＳＴＥＰ１３でブザー１８を鳴動させて、左バーナ４ａの消火を使用者に報知する。
【００３７】
次に、ＳＴＥＰ２で火力ＤＯＷＮスイッチ１２ａがｏｎ状態となったときはＳＴＥＰ２０に分岐する。ＳＴＥＰ２０〜ＳＴＥＰ２２は左バーナ４ａの火力を１段階減少させる処理であり、点灯制御手段３２は、ＳＴＥＰ２０でブザー１８を鳴動させ、ＳＴＥＰ２１で火力レベル表示部１５ａのバー表示を１段階−方向（図２では左方向）に減少させて、使用者に左バーナ４ａの火力の減少を報知する。そして、続くＳＴＥＰ２２で、加熱制御手段３１は左バーナ用火力調節弁４２ａの開度を１段階小さくして、左バーナ４ａの火力を１段階減少させる。
【００３８】
次のＳＴＥＰ２３で火力ＤＯＷＮスイッチ１２ａがｏｆｆ状態に戻ったときは図５のＳＴＥＰ３に進み、火力ＤＯＷＮスイッチ１２ａがｏｎ状態のままであったときにはＳＴＥＰ３０に分岐する。そして、ＳＴＥＰ３０で火力ＤＯＷＮスイッチ１２ａが所定時間（例えば１秒）以上連続してｏｎ状態に維持された「連続ｏｎ状態」であるときは、ＳＴＥＰ３１に進む。ＳＴＥＰ３０〜ＳＴＥＰ３３は、上述したＳＴＥＰ２０〜ＳＴＥＰ２２と同様の処理であり、左バーナ４ａの火力が１段階減少する。
【００３９】
そして、ＳＴＥＰ３３からＳＴＥＰ２３に戻り、火力ＤＯＷＮスイッチ１２ａが「連続ｏｎ状態」であるときはＳＴＥＰ３０からＳＴＥＰ３１に進んで、ＳＴＥＰ３１〜ＳＴＥＰ３３の処理が繰り返し実行される。そのため、使用者は火力ＤＯＷＮスイッチ１２ａに触れ続けて火力ＤＯＷＮスイッチ１２ａをｏｎ状態に維持することで、左バーナ４ａの火力を最小レベル（レベル１）まで連続的に速やかに減少させることができる。
【００４０】
次に、図５のＳＴＥＰ３で火力ＵＰスイッチ１３ａがｏｎ状態となったときは、ＳＴＥＰ４０に分岐する。そして、点灯制御手段３２は、ＳＴＥＰ４０でブザー１８を鳴動し、ＳＴＥＰ４２で火力レベル表示部１５ａのバー表示を１段階＋方向（図２では右方向）に増加させて、使用者に左バーナ４ａの火力の増加を報知する。また、続くＳＴＥＰ４１で、加熱制御手段３１は左バーナ用火力調節弁４２ａの開度を１段階大きくして、左バーナ４ａの火力を１段階増加させる。
【００４１】
そして、次のＳＴＥＰ４３で火力ＵＰスイッチ１３ａがｏｆｆ状態に戻ったときはＳＴＥＰ４に進み、火力ＵＰスイッチ１３ａがｏｎ状態のままであったときには、ＳＴＥＰ５０に分岐する。ＳＴＥＰ５０で火力ＵＰスイッチ１３ａが「連続ｏｎ状態」であるときはＳＴＥＰ５１に進む。
【００４２】
ＳＴＥＰ５１〜ＳＴＥＰ５３は上述したＳＴＥＰ２０〜ＳＴＥＰ２２と同様の処理であり、左バーナ４ａの火力が１段階減少する。そして、ＳＴＥＰ５４で火力ＵＰスイッチ１３ａがｏｆｆ状態となるのを待ってＳＴＥＰ４に進む。これにより、火力ＵＰスイッチ１３ａが「連続ｏｎ状態」となったときには、ＳＴＥＰ４２で一旦１段階増加した左バーナ４ａの火力が、ＳＴＥＰ５３で１段階減少して元に戻る。
【００４３】
ここで、煮こぼれ等により操作部６が覆われて、使用者の操作以外の要因により火力ＵＰスイッチ１３ａがｏｆｆ状態からｏｎ状態に切り換わったときは、火力ＵＰスイッチ１３ａはその後もある程度の時間はｏｎ状態に維持されると想定される。そのため、この場合は「連続ｏｎ状態」となり、ＳＴＥＰ３０からＳＴＥＰ３１に進んでＳＴＥＰ３３で左バーナ４ａの火力が１段階減少する。
【００４４】
これにより、左バーナ４ａの火力は煮こぼれ等により火力ＵＰスイッチ１３ａがｏｆｆ状態からｏｎ状態に切り換わる前の状態に維持される。そのため、煮こぼれ等により操作部６が覆われて火力ＵＰスイッチ１３ａがｏｆｆ状態からｏｎ状態に切り換わったときに、左バーナ４ａの火力が増加した状態に維持されて、調理物が過剰に加熱される状況となることを防止することができる。
【００４５】
一方、使用者が左バーナ４ａの火力を増加させたいときは、左バーナ用の火力ＵＰスイッチ１３ａに指で触れて「連続ｏｎ状態」となる前に指を離せばよい。これにより、図５のＳＴＥＰ４３からＳＴＥＰ４に進み、ＳＴＥＰ４２で左バーナ４ａの火力を１段階増加した状態が維持される。
【００４６】
次に、ＳＴＥＰ４で左バーナ４ａの失火等の異常が検出されたときは、ＳＴＥＰ６０に分岐し、点灯制御手段３２は、ＳＴＥＰ６０でブザー１８を鳴動し、ＳＴＥＰ６１で点火準備表示部１４ａを点滅させて使用者に異常の発生を報知する。また、点灯制御手段３２は、次のＳＴＥＰ６２で火力レベル表示部１５ａを消灯する。そして、続くＳＴＥＰ６３で、加熱制御手段３１は、左バーナ用開閉弁４１ａを閉弁して左バーナ４ａへの燃料ガスの供給を遮断し、ＳＴＥＰ６４に進んでエラー停止状態とする。
【００４７】
なお、本実施の形態では、本発明の加熱手段としてガスバーナ４ａ，４ｂを備えたコンロを示したが、電気ヒータ等の他の種類の加熱手段を備えたコンロに対しても本発明の適用が可能である。
【００４８】
また、本実施の形態では、本発明の天板として耐熱ガラスを用いたガラス天板２を備えたコンロを示したが、ステンレス等の他の素材の天板を備えたコンロに対しても本発明の適用が可能である。
【００４９】
また、本実施の形態では、本発明のタッチスイッチとして静電容量型のタッチスイッチを採用したコンロを示したが、タッチスイッチの種類はこれに限られず、赤外線の発行部／受光部を備えたフォトスイッチやタクトスイッチ等の機械接点式のタッチスイッチを採用したコンロであっても、本発明の適用が可能である。
【図面の簡単な説明】
【００５０】
【図１】本発明のコンロの外観図。
【図２】図１に示した操作部の詳細図。
【図３】コンロの制御ブロック図。
【図４】バーナの火力変更処理のフローチャート。
【図５】バーナの火力変更処理のフローチャート。
【図６】従来のコンロの外観図。
【符号の説明】
【００５１】
１…コンロ本体、２…ガラス天板、４ａ…左バーナ、４ｂ…右バーナ、６…操作部、１０…運転スイッチ、１１ａ，１１ｂ…点火準備スイッチ、１２ａ，１２ｂ…火力ＤＯＷＮスイッチ、１３ａ，１３ｂ…火力ＵＰスイッチ、１４ａ，１４ｂ…点火準備表示部、１５ａ，１５ｂ…火力レベル表示部、１６…アンロック表示部、１７…ロック表示部、３１…加熱制御手段、３２…点灯制御手段
【図１】
2005291511.tif 000003
【図２】
2005291511.tif 000004
【図３】
2005291511.tif 000005
【図４】
2005291511.tif 000006
【図５】
2005291511.tif 000007
【図６】
2005291511.tif 000008